(57)【要約】【課題】装着用ベルトの紛失を防ぐことができるキーホルダーを提供する。【解決手段】装着用ベルト２を有するキーホルダー１において、リベット組立体７を介して互いに重ね合わせて接合される一対のホルダ体３，４と、これらホルダ体３，４の間に形成され、装着用ベルト２が挿通される挿通孔１１とを備えた。リベット組立体７は、一対のホルダ体３，４の一端同士を互いに接合するとともに、一対のホルダ体３，４の他端同士は、リベット組立体７の締結方向とは異なる方向にスライド自在に係合される。一対のホルダ体３，４の間には、キー９を出し入れ自在に収納するキー収納部１２が形成される。キー９は、リベット組立体７により、当該リベット組立体７周りにキー収納部１２へ向かって回動自在にホルダ体３，４と共締めされる。【選択図】　　　　　図１
2004113443.tif 000002
【特許請求の範囲】
【請求項１】
装着用ベルトを有するキーホルダーにおいて、締結部材を介して互いに重ね合わせて接合される一対のホルダ体と、これらホルダ体の間に形成され、上記装着用ベルトが挿通される挿通孔とを備えたことを特徴とするキーホルダー。
【請求項２】
前記締結部材は、前記一対のホルダ体の一端同士を互いに接合するとともに、上記一対のホルダ体の他端同士は、上記締結部材の締結方向とは異なる方向にスライド自在に係合されることを特徴とする請求項１に記載のキーホルダー。
【請求項３】
一対のホルダ体の間には、これら両者を互いに折り返し自在に連結するヒンジが設けられていることを特徴とする請求項１に記載のキーホルダー。
【請求項４】
前記一対のホルダ体の間には、キーを出し入れ自在に収納するキー収納部が形成されることを特徴とする請求項１〜３いずれかの項に記載のキーホルダー。
【請求項５】
前記キーは、前記締結部材により、当該締結部材周りに前記キー収納部へ向かって回動自在に前記ホルダ体と共締めされることを特徴とする請求項４に記載のキーホルダー。
【発明の詳細な説明】
【０００１】
【発明の属する技術分野】
本発明は、装着用ベルトの紛失を防ぐことができるキーホルダーに関する。
【０００２】
【従来の技術】
アスレチッククラブやスパなどの各種施設では一般に、入館から退館までの間、荷物を一時的に預かるロッカーなどの各種保管設備が備えられている。特にキーを用いて開け閉めする保管設備では、荷物を預けてから引き取るまでの間、キーを身に付けておく必要があり、そのためにキーを手首や足首などに装着できるように、ゴム製や弾力性のあるプラスチック製などの装着用ベルトを有するキーホルダーが採用されている。このようなキーホルダーの一例として、図８に示したものが知られている。
【０００３】
このキーホルダーａは、キーｂの穴ｃに通したリングｄを保持するプレートｅの左右一対の縁辺それぞれに、細い切り溝ｆを介して幅広なスリットｇを形成し、各切り溝ｆからそれぞれのスリットｇ内へ装着用ベルトｈを嵌め込んで、装着用ベルトｈの２箇所でプレートｅを安定的に保持するようになっている。そして、例えば手首に装着用ベルトｈを装着することで、荷物を預けた後再び保管設備を開けて荷物を引き取るまでの間、キーｂを身に付けておくことができるようになっていた。
【０００４】
【発明が解決しようとする課題】
ところで、上記従来のキーホルダーａにあっては、装着用ベルトｈの紛失が発生し易いという課題があった。詳細には、装着用ベルトｈは細い切り溝ｆを介してスリットｇに挿入されるようになっており、またスリットｇは装着用ベルトｈをその幅一杯に広げられるように幅広に形成されていて、装着用ベルトｈは簡単にはプレートｅから抜脱されることはない。
【０００５】
しかしながら、一連に連通する切り溝ｆとスリットｇを利用して装着用ベルトｈをプレートｅに取り付けるようにしていることから、故意にあるいは悪意で装着用ベルトｈを外そうと思えば、上記構成ではそれを防ぐことはできなかった。そして装着用ベルトｈが取り外されて紛失した場合には、もはやそのキーホルダーａからは装着機能が失われてその使用に支障をきたすとともに、当該キーホルダーａのキーｂに対応する保管設備も使用できなくなり、そしてまた改めて装着用ベルトｈを用意してプレートｅに取り付ける修理作業も必要となって、保管設備の円滑な運用を妨げることとなっていた。
【０００６】
本発明は上記従来の課題に鑑みて創案されたものであって、装着用ベルトの紛失を防ぐことができるキーホルダーを提供することを目的とする。
【０００７】
【課題を解決するための手段】
本発明にかかるキーホルダーは、装着用ベルトを有するキーホルダーにおいて、締結部材を介して互いに重ね合わせて接合される一対のホルダ体と、これらホルダ体の間に形成され、上記装着用ベルトが挿通される挿通孔とを備えたことを特徴とする。これにより、装着用ベルトの紛失を防ぐことが可能となる。
【０００８】
また、前記締結部材は、前記一対のホルダ体の一端同士を互いに接合するとともに、上記一対のホルダ体の他端同士は、上記締結部材の締結方向とは異なる方向にスライド自在に係合されることを特徴とする。これにより、ホルダ体の両端を固定して組み立てる作業を、ホルダ体の一端に対してのみ締結部材を適用するだけで行うことが可能となり、部品点数の削減や組立・解体操作の簡便化が図られる。
【０００９】
また、一対のホルダ体の間には、これら両者を互いに折り返し自在に連結するヒンジが設けられていることを特徴とする。これにより、ホルダ体に対して締結部材を適用するだけでキーホルダーを組み立てることが可能となり、構造がシンプルになり、これにより部品点数の削減や組立・解体操作の簡便化が図られる。
【００１０】
また、前記一対のホルダ体の間には、キーを出し入れ自在に収納するキー収納部が形成されることを特徴とする。これにより、キーを使用しないときにはキー収納部に収納しておくことが可能で、身に付けたときの装着感が良好であり、また使い勝手に優れる。
【００１１】
さらに、前記キーは、前記締結部材により、当該締結部材周りに前記キー収納部へ向かって回動自在に前記ホルダ体と共締めされることを特徴とする。これにより、締結部材によってホルダ体を組み立てるのと同時にキーをホルダ体に組み付けることができて組立・解体に便利であると同時に、キーにキー収納部からの出し入れに便利な回動運動を生じさせることが可能となる。
【００１２】
【発明の実施の形態】
以下に、本発明にかかるキーホルダーの第１の実施形態を、添付図面を参照して詳細に説明する。本実施形態にかかるキーホルダー１は図１〜図４に示されていて、特に、図１（ａ）にその平面図を、図１（ｂ）にその側面図を、図１（ｃ）にその裏面図を、そして図１（ｄ）に図１（ａ）中のＡ−Ａ線矢視断面図を示すように、手首や足首、その他さまざまな箇所に装着するために、ゴム素材や、軟質で柔軟な弾性を有する合成樹脂素材などでリング状に形成された装着用ベルト２と、プレート状に成形され、互いに重ね合わされる一対の第１ホルダ体３および第２ホルダ体４と、これらホルダ体３，４を接合する締結部材として、リベット５とハトメ６とからなるハトメ式のリベット組立体７と、これらホルダ体３，４の間に挟み込んで設けられるメタルプレート８とから主に構成され、これにキー９が取り付けられるようになっている。
【００１３】
第１ホルダ体３と第２ホルダ体４とは、メタルプレート８を挟み込んで共締めする形態で、それらの一端同士３ａ，４ａがリベット組立体７により接合される。また、これらホルダ体３，４の他端３ｂ，４ｂ同士は後述するように、リベット組立体７によるホルダ体３，４の接合方向とは異なる方向に、メタルプレート８とともにスライド自在に係合される。第２ホルダ体４と向かい合う第１ホルダ体３の裏面３ｃには溝１０が形成され、この溝１０によって第２ホルダ体４との間に装着用ベルト２を挿通する挿通孔１１が形成される。本実施形態にあっては、ホルダ体３，４間に挟み込んだメタルプレート８と第１ホルダ体３の溝との間に挿通孔１１が区画されている。しかしながら、メタルプレート８は用いなくても良いことはもちろんである。
【００１４】
一対のホルダ体３，４の間、図示例にあってはメタルプレート８と第２ホルダ体４との間には、キー９を出し入れ自在に収納するキー収納部１２となる隙間が形成される。他方、キー９は、これに形成した取り付け用孔１３にリベット５が挿通されて、ホルダ体３，４間、具体的にはメタルプレート８と第２ホルダ体４との間に挟み込まれ、リベット５によりホルダ体３，４と共締めされてリベット組立体７周りにキー収納部１２へ向かって回動自在とされる。
【００１５】
各構成要素についてさらに詳述すると、第１ホルダ体３は、図２（ａ）にその平面図を、図２（ｂ）にその側面図を、図２（ｃ）に図２（ａ）中のＢ−Ｂ線矢視断面図を、そして図２（ｄ）に図２（ａ）中のＣ−Ｃ線矢視断面図を示すように、平面外形輪郭がオーバル状に形成され、その一端３ａには第１ホルダ体３の厚さ方向に、リベット組立体７のリベット５を挿入する第１リベット用穴１４と、当該第１リベット用穴１４よりも大きな外径を有してリベット５の頭部５ａを収容する第１凹陥部１５とが一連に形成される。
【００１６】
第１ホルダ体３の他端３ｂには、その裏面３ｃから第２ホルダ体４側へ向かって、第２ホルダ体４との間にキー収納部１２を形成できるように、キー９の厚さに相当する突出量で突出させて、一対の脚部１６ａ，１６ｂが形成される。これら脚部１６ａ，１６ｂは、第１ホルダ体３の幅方向に間隔を隔てて配置されて、両者間には第１ホルダ体３の長さ方向に沿ってスライド溝１７が形成される。特にこれら脚部１６ａ，１６ｂは、第１ホルダ体３の長さ方向に異なる長さ寸法、詳細には、一方の脚部１６ａは、キー収納部１２へのキー９の出し入れを許容するためにキー９と干渉しない短い長さ寸法に形成されるとともに、他方の脚部１１６ｂは、収納されたキー９をキー収納部１２内に保持するために、キー９と係合する長い長さ寸法で形成される。さらに、これら脚部１６ａ，１６ｂのスライド溝側隅角部にはそれぞれ、それらの長さ方向に沿って一対のスライド係合凹部１８が形成される。
【００１７】
そして、脚部１６ａ，１６ｂと第１リベット用穴１４との間には、第１ホルダ体３の幅方向に装着用ベルト２の幅寸法で当該装着用ベルト２を通す溝１０が形成される。さらに、脚部１６ａ，１６ｂとは反対側の第１ホルダ体３の表面３ｄには、キー番号や保管設備のバーコードリーダーで読み取られるバーコードなどを付したナンバープレートなどの板片を装着するために、凹部１９が形成される。また第１ホルダ体３には、その裏面３ｃから表面３ｄに向かって連通させて、空気抜き孔２０が形成される。図示例にあっては、空気抜き孔２０は、第１ホルダ体３の表面３ｄ側については、凹部１９の縁辺位置で１箇所開口されるとともに、裏面３ｃ側については、分岐されて２箇所に開口されている。
【００１８】
第２ホルダ体４は、図３（ａ）にその平面図を、図３（ｂ）にその側面図を、そして図３（ｃ）に図３（ａ）中のＤ−Ｄ線矢視断面図を示すように、平面外形輪郭が第１ホルダ体３と一致するオーバル状に形成され、リベット組立体７を介して第１ホルダ体３に互いに重ね合わせて接合される。第２ホルダ体４の一端４ａには、その厚さ方向に、第１ホルダ体３側から挿入されるリベット５を挿通させる第２リベット用穴２１と、当該第２リベット用穴２１よりも大きな外径を有して、リベット５と締結されるハトメ６を収容する第２凹陥部２２とが一連に形成される。リベット組立体７は、第１ホルダ体３側から挿入されるリベット５に、第２ホルダ体４側から挿入されるハトメ６が嵌合されて、これらホルダ体３，４の一端３ａ，４ａ同士を互いに離脱不能に接合する。接合を外す場合には、リベット５に対するハトメ６の嵌合を、復元不能に機械的に破壊するようになっている。
【００１９】
他方、第２ホルダ体４の他端４ｂには、その裏面４ｃから第１ホルダ体３側へ向かって突出させて、かつ第２ホルダ体４の長さ方向に沿って、第１ホルダ体３のスライド溝１７にスライド自在に挿入されるスライド脚部２３が形成される。スライド脚部２３の突出側隅角部にはそれぞれ、スライド溝１７方向に沿って、第１ホルダ体３の各スライド係合凹部１８に係脱自在に係合される一対のスライド係合凸部２４が形成される。スライド係合凸部２４は、スライド係合凹部１８に対してホルダ体３，４の長さ方向にスライド自在に、かつリベット組立体７の接合方向には互いに抜脱されないように係合される。
【００２０】
すなわち、スライド脚部２３とスライド溝１７とのスライド自在な係合は、ホルダ体３，４の長さ方向に設定され、これらホルダ体３，４の厚さ方向に沿う、リベット組立体７による接合方向とは異なる方向とされる。そして、スライド係合凸部２４をスライド係合凹部１８に合わせて、スライド脚部２３がスライド溝１７内に挿入されることにより、ホルダ体３，４の他端３ｂ，４ｂ同士が係合されるようになっている。そしてまた、スライド溝１７にスライド脚部２３が係合される結果、ホルダ体３，４間にはキー９の厚さ寸法相当のキー収納部１２が形成されるようになっている。第２ホルダ体４の一対の縁辺のうち、第１ホルダ体３の長い脚部１６ｂが位置する側とは反対側の縁辺側には、第２ホルダ体４をその幅方向に窪ませることによって、キー９を押し出すのに便利な切り欠き部２５が形成される。
【００２１】
さらに図４には、メタルプレート８の平面図が示されている。メタルプレート８は、スライド係合凸部２４間の窪み２６に挿入される突部８ａが他端に形成されるほかは、第１ホルダ体３にほぼ一致する平面外形輪郭で形成され、一端にはリベット通し孔８ｂが形成される。メタルプレート８は、第１ホルダ体３の裏面３ｃに重ね合わされることにより、第２ホルダ体４の切り欠き部２５の奥に配置され、また溝１０との間に挿通孔１１を区画形成する。
【００２２】
このような構成要素を備えるキーホルダー１を組み立てるには、まず、装着用ベルト２を第１ホルダ体３の溝１０に通し、その後、突部８ａをスライド溝１７に位置させてメタルプレート８を第１ホルダ体３に重ね合わせるとともに、第１凹陥部１５から第１リベット用穴１４を介してリベット通し孔８ｂへリベット５を挿入する。次いで、リベット５をキー９の取り付け用孔１３に差し込んだ後、この状態でスライド係合凹部１８にスライド係合凸部２４を合わせて第２ホルダ体４のスライド脚部２３を第１ホルダ体３のスライド溝１７内へ、第２リベット用穴２１がリベット５に合う位置までスライドさせる。最後に、第２凹陥部２２からハトメ６を挿入してリベット５に嵌合させれば、ホルダ体３，４間にキー収納部１２を形成しつつ、ホルダ体３，４を互いに重ね合わせて接合することができ、これによりキーホルダー１を完成することができる。
【００２３】
特に本実施形態にあっては、リベット組立体７によって一対のホルダ体３，４の一端３ａ，４ａ同士を互いに接合する一方で、ホルダ体３，４の他端３ｂ，４ｂ同士は、リベット組立体７の接合方向であるホルダ体３，４の厚さ方向とは異なる、ホルダ体３，４の長さ方向へスライド自在に係合させるようにしたので、ホルダ体３，４の両端を固定して組み立てる作業を、ホルダ体３，４の一端３ａ，４ａに対してのみリベット組立体７を適用するだけで行うことができ、部品点数の削減や組立・解体操作の簡便化を図ることができる。スライド方向としては、ホルダ体３，４の長さ方向に限らず、その幅方向やそれ以外の方向であっても良く、いずれにしてもホルダ体３，４のスライド自在な係合状態がリベット組立体７の締結・非締結に左右されない方向であればよい。
【００２４】
また本実施形態にあっては、キー９を、リベット組立体７により、当該リベット組立体７周りにキー収納部１２へ向かって回動自在にホルダ体３，４と共締めするようにしたので、リベット組立体７によってホルダ体３，４を組み立てるのと同時にキー９をホルダ体３，４に組み付けることができて、組立・解体に便利であると同時にキー９にキー収納部１２からの出し入れに便利な回動運動を生じさせることができる。
【００２５】
本実施形態にかかるキーホルダー１は、装着用ベルト２を手首などに装着して身に付け、保管設備を利用する際には、取り外してキー９を使用する。リベット組立体７に共締めされていてホルダ体３，４から露出されているキー９は、これをリベット５周りにキー収納部１２へ向かって回動させれば、第１ホルダ体３の長い脚部１６ｂに係合させてキー収納部１２に収納することができる一方で、切り欠き部２５を利用してホルダ体３，４外方へ押し出せば、キー収納部１２から露出させることができて、保管設備の施解錠に使用することができる。特に、キー９は、切り欠き部２５の反対側に位置するメタルプレート８上を円滑に滑ることができて、その出し入れ操作をスムーズに行うことができる。
【００２６】
以上説明したように本実施形態のキーホルダー１にあっては、リベット組立体７を介して互いに重ね合わせて接合される一対のホルダ体３，４と、これらホルダ体３，４の間に形成され、装着用ベルト２が挿通される挿通孔１１とを備えて構成したので、リベット組立体７を破壊しない限り装着用ベルト２をホルダ体３，４から取り外すことはできず、装着用ベルト２の紛失を予防することができる。このように装着用ベルト２の紛失を防止することができることにより、使用できなくなる保管設備が発生したり、装着用ベルト２を取り付ける修理作業が必要になることなどをなくすことができて、保管設備の円滑な運用を保証することができる。また、リベット組立体７のリベット５の頭部５ａおよびハトメ６をそれぞれ、第１凹陥部１５および第２凹陥部２２内に収容するようにしたので、リベット組立体７を容易には破壊できないようになっている。
【００２７】
また本実施形態にあっては、一対のホルダ体３，４の間に、キー９を出し入れ自在に収納するキー収納部１２を形成したので、キー９を使用しないときにはキー収納部１２に収納しておくことができて、身に付けたときの装着感が良好であり、また使用・不使用に従ってキー９を出し入れすることができて使い勝手に優れる。さらに、第１ホルダ体３に空気抜き孔２０を形成したので、キー９をキー収納部１２に収納する際に、キー収納部１２から排気することができて収納操作をスムーズに行うことができる。
【００２８】
上記実施形態にあっては、締結部材としてリベット組立体７を例示して説明したが、このほかにも、カシメなど各種の公知・周知の締結部材を適用できることはもちろんである。挿通孔１１にあっても、第１ホルダ体３に形成した溝１０を利用した場合を例示して説明したが、ホルダ体３，４間に形成可能な挿通孔であれば、その形態は問われない。また、キー９を、リベット組立体７周りに回動自在とすると同時に、同リベット組立体７によってホルダ体３，４に共締めする場合を例示して説明したが、いずれか一方だけの構造を備えるのみでも良いことはもちろんである。
【００２９】
図５には、本発明にかかるキーホルダーの第２の実施形態が示されている。図５（ａ）にキーホルダー１を構成する一対のホルダ体３，４を展開した状態の平面図を、図５（ｂ）にホルダ体３，４を組み立てた状態の正面図を、図５（ｃ）にホルダ体３，４を組み立てた状態の側面図を、そして図５（ｄ）に完成したキーホルダー１の平面図を示していて、この第２の実施形態にあっては、スライド脚部２３とスライド溝１７とのスライド自在な係合に代えて、一対のホルダ体３，４の間に、これら両者を互いに折り返し自在に連結するヒンジ２７が設けられる。
【００３０】
図示例にあっては、矩形プレート状の第１ホルダ体３には、その長手方向左端に第１リベット用穴１４が形成されるとともに、同様に矩形プレート状の第２ホルダ体４には、その長手方向右端に第２リベット用穴２１が形成され、そしてこれら第１ホルダ体３の右端と第２ホルダ体４の左端との間にこれらと一体的に可撓変形自在なヒンジ２７が形成されている。従って、これらホルダ体３，４は、ヒンジ２７で折り返すことにより互いに重ね合わされ、リベット用穴１４，２１が互いに一致されるとともに、両者間の隙間に装着用ベルト２の挿通孔１１およびキー収納部１２が形成される。
【００３１】
特に、いずれかのホルダ体３，４、図示例にあっては第１ホルダ体３には、その幅方向両縁辺それぞれに、装着用ベルト２を第１ホルダ体３に掛け止めするために、細い溝２８を介して装着用ベルト２の幅よりも僅かに長い長さ寸法の幅広なスリット２９が形成される。スリット２９周辺には、装着用ベルト２の滑りを防止する目的で、シリコンを塗布するようにしてもよい。リベット用穴１４，２１には上記実施形態と同様に、一方から挿入されたリベット５に、他方から装着されるハトメ６が嵌合され、またリベット５はキー９の取り付け用穴に差し込まれ、これによりキー９はリベット組立体７によりその周りにキー収納部１２へ向かって回動自在にホルダ体３，４と共締めされる。
【００３２】
また、いずれかのホルダ体３，４、本実施形態にあっては第１ホルダ体３には、これよりキー収納部１２内に突出させて、収納されたキー９をキー収納部１２内に保持するためのキーストッパ３０が形成される。さらに、いずれかのホルダ体３，４、図示例にあっては第１ホルダ体３のリベット５周りには、キー収納部１２に収納されるキー９と、同じ隙間に形成される挿通孔１１に挿通される装着用ベルト２との干渉を防止するために、キー９を装着用ベルト２の挿通位置から浮かせて支持するスペーサ３１が設けられる。スペーサ３１の高さを調整することで、装着用ベルト２にキー９を摺接させるようにし、これによってキーストッパの機能を兼ねさせるようにしてもよい。
【００３３】
さらに本実施形態にあっては、キー９をキー収納部１２から取り出し易くするために、第１ホルダ体３は、その長さ方向右端にキー収納部１２内のキー９の先端９ａを支持するキー受け部３２が形成されてその長さ寸法が長く形成される一方で、第２ホルダ体４の長さ寸法はそれよりも短く形成され、これによりキー収納部１２に収納されているキー９の先端９ａがホルダ体３，４の間から露出される。キー受け部３２を第２ホルダ体４に形成し、第１ホルダ体３を短い寸法で形成してもよいことはもちろんである。なお、３３は、キー番号や保管設備のバーコードリーダーで読み取られるバーコードなどを付したナンバープレートなどの板片であって、キーホルダー１の見易い箇所に貼付される。
【００３４】
本実施形態にかかるキーホルダー１を組み立てるには、まず装着用ベルト２を、溝２８を介して第１ホルダ体３のスリット２９に通し、次いで、第１リベット用穴１４へリベット５を挿入するとともに、キー９の取り付け用孔をリベット５に通す。この状態で、ヒンジ２７を介してホルダ体３，４同士を互いに折り返して重ね合わせる。最後に、第２ホルダ体４側からハトメ６を装着してリベット５に嵌合させれば、ホルダ体３，４間にキー収納部１２を形成しつつ、ホルダ体３，４を互いに重ね合わせて接合することができ、これによりキーホルダー１を完成することができる。
【００３５】
このような第２の実施形態にあっても、上記実施形態と同様な作用・効果を奏することはもちろんである。特に本実施形態にあっては、一対のホルダ体３，４の間に、これら両者を互いに折り返し自在に連結するヒンジ２７を設けたので、ホルダ体３，４に対してリベット組立体７を適用するだけでキーホルダー１を組み立てることができて、構造をシンプルにすることができ、これにより部品点数の削減や組立・解体操作の簡便化を図ることができる。また、メタルプレート８なども省略することができて、キーホルダー１を軽量化することができる。
【００３６】
図６には、第２の実施形態の変形例が示されている。この変形例にあっては、矩形プレート状の第１ホルダ体３には、その長手方向左端に第１リベット用穴１４が形成されるとともに、同様に矩形プレート状の第２ホルダ体４にも、その長手方向左端に第２リベット用穴２１が形成され、そしてこれらホルダ体３，４の幅方向一縁辺間にこれらと一体的に可撓変形自在なヒンジ２７が形成されている。従ってこの変形例にあっても、これらホルダ体３，４は、ヒンジ２７で折り返すことにより互いに重ね合わされ、リベット用穴１４，２１が互いに一致されるとともに、両者間の隙間に装着用ベルト２の挿通孔１１およびキー収納部１２が形成される。その他の構成は上記第２の実施形態とほぼ同様である。
【００３７】
このような変形例にあっても上記実施形態と同様の作用効果を奏することはもちろんである。特にこの変形例にあっては、ホルダ体３，４の幅方向一縁辺がヒンジ２７で連結されて両者間の隙間が塞がれるので、このヒンジ２７を利用してキー９をキー収納部１２内に保持させることができ、キーストッパ３０を省略することができる。
【００３８】
図７には、図６に示した変形例をさらに変形した例が示されている。この変形例にあっては第１の実施形態と同様に、第２ホルダ体４をその幅方向に窪ませることによって、キー９を取り出すのに便利な切り欠き部２５が形成されている。さらに第１ホルダ体３および第２ホルダ体４には、リベット組立体７を挟んでキー９の先端９ａとは反対側であって、当該リベット組立体７周りにキー９に偶力を生じさせることができる箇所に、キー９を部分的に露出させる切り込み３４が形成される。そして露出されたキー部分９ｂをキー収納部１２へ向かって押し込むことにより、キー９をリベット組立体７周りに回動させることができ、これによってキー９の先端９ａをキー収納部１２から容易に露出させることができる。
【００３９】
この変形例にあっても、ホルダ体３，４は、ヒンジ２７で折り返すことにより互いに重ね合わされ、リベット組立体７によって締結されるようになっていて、両者間の隙間に装着用ベルト２の挿通孔１１およびキー収納部１２が形成される。その他の構成は図５に示した上記第２の実施形態や図６に示した変形例とほぼ同様である。
【００４０】
このような変形例にあっても上記実施形態と同様の作用効果を奏することはもちろんである。特にこの変形例にあっては、切り込み３４を利用してキー９の先端９ａをキー収納部１２から簡単に露出させることができ、切り欠き部２５とも相俟ってキー９の取り出し操作に便利な構造となっている。
【００４１】
以上のいずれの実施形態にあっても、装着用ベルト２の幅寸法は手首への装着圧や装着感に影響を与えるので、高齢者用、大人用、子供用などに区別したり、あるいは温泉用、アスレチックやスイミングなどの運動用などに区別して、寸法設定をすることが望ましい。
【００４２】
【発明の効果】
以上要するに、本発明にかかるキーホルダーにあっては、装着用ベルトの紛失を防ぐことができる。
【図面の簡単な説明】
【図１】本発明にかかるキーホルダーの第１の実施形態を示す説明図である。
【図２】図１のキーホルダーに適用される第１ホルダ体を示す説明図である。
【図３】図１のキーホルダーに適用される第２ホルダ体を示す説明図である。
【図４】図１のキーホルダーに適用されるメタルプレートを示す説明図である。
【図５】本発明にかかるキーホルダーの第２の実施形態を示す説明図である。
【図６】本発明にかかるキーホルダーの第２の実施形態の変形例を示すホルダ体の展開平面図である。
【図７】本発明にかかるキーホルダーの第２の実施形態のさらに他の変形例を示す平面図である。
【図８】従来のキーホルダーの一例を示す斜視図である。
【符号の説明】
１　キーホルダー　　　　　　　　　　２　装着用ベルト
３　第１ホルダ体　　　　　　　　　　４　第２ホルダ体
７　リベット組立体　　　　　　　　　９　キー
１１　挿通孔　　　　　　　　　　　　１２　キー収納部
１６ａ，１６ｂ　脚部　　　　　　　　１７　スライド溝
１８　スライド係合凹部　　　　　　　２３　スライド脚部
２４　スライド係合凸部　　　　　　　２７　ヒンジ
【図１】
2004113443.tif 000003
【図２】
2004113443.tif 000004
【図３】
2004113443.tif 000005
【図４】
2004113443.tif 000006
【図５】
2004113443.tif 000007
【図６】
2004113443.tif 000008
【図７】
2004113443.tif 000009
【図８】
2004113443.tif 000010